(57)【要約】【課題】本発明は、順調にスライドすることができ、且つ安定な構造を有するスライドモジュール及びこれを用いる携帯式電子装置を提供することを目的とする。【解決手段】本発明に係るスライドモジュール１００は、ガイド溝１４が形成されている第一スライド板１０と、前記ガイド溝１４に係合されるガイドレール２２が形成されている第二スライド板２０と、前記ガイド溝１４と前記ガイドレール２２との間に取り付けられ、且つ前記ガイド溝１４及び前記ガイドレール２２に相対して転がる複数のローラ３４と、を備える。【選択図】図１
2010093791.tif 000002
【特許請求の範囲】
【請求項１】
ガイド溝が形成されている第一スライド板と、
前記ガイド溝に係合されるガイドレールが形成されている第二スライド板と、
前記ガイド溝と前記ガイドレールとの間に取り付けられ、且つ前記ガイド溝及び前記ガイドレールに相対して転がる複数のローラと、
を備えることを特徴とするスライドモジュール。
【請求項２】
前記スライドモジュールは、ガイド機構をさらに備え、前記複数のローラは前記ガイド機構内に設置され、前記ガイド機構は、前記ガイド溝と前記ガイドレールとの間に設置され、前記ガイド溝と前記ガイドレールとを相対的にスライドさせることを特徴とする請求項１に記載のスライドモジュール。
【請求項３】
前記ガイド機構は、複数の取付け孔が設置された保持部材を備え、前記複数のローラは、前記取付け孔から部分的に露出されるように前記保持部材に保持されることを特徴とする請求項２に記載のスライドモジュール。
【請求項４】
前記保持部材は、２層頂壁と、前記２層頂壁に対向する２層底壁と、前記２層頂壁と前記２層底壁とを連結する２層側壁と、を備え、
前記２層側壁は、互いに平行な前記２層頂壁及び前記２層底壁に直交するように連接されて、前記第二スライド板のガイドレールと係合する保持溝を形成することを特徴とする請求項３に記載のスライドモジュール。
【請求項５】
前記スライドモジュールは、一端が前記第一スライド板に接続され、他端が前記第二スライド板に接続される弾性部材をさらに備えることを特徴とする請求項１に記載のスライドモジュール。
【請求項６】
前記第一スライド板には、ストッパーピンが形成され、前記第二スライド板には、前記ストッパーピンと係合するストッパー溝が形成されることを特徴とする請求項１に記載のスライドモジュール。
【請求項７】
第一ハウジング、第二ハウジング及びスライドモジュールを備えてなる携帯式電子装置であって、
前記スライドモジュールは、ガイド溝が形成され且つ前記第一ハウジングに固定される第一スライド板と、前記ガイド溝に係合されるガイドレールが形成され且つ前記第二ハウジングに固定される第二スライド板と、前記ガイド溝と前記ガイドレールとの間に取り付けられ、且つ前記ガイド溝及び前記ガイドレールに相対して転がる複数のローラと、を備えることを特徴とする携帯式電子装置。
【発明の詳細な説明】
【技術分野】
【０００１】
本発明は、スライドモジュール及びこれを用いる携帯式電子装置に関するものである。
【背景技術】
【０００２】
最近、スライド式電子装置は、一般的に本体と、蓋体と、前記本体と蓋体とを連結するスライドモジュールを備える。前記スライド式電子装置において、前記スライドモジュールの部品の相対的なスライドによって前記本体と蓋体との開閉を実現する。前記スライドモジュールは、上部スライド板及び下部スライド板を備える。前記上部スライド板の両側にはガイド溝が形成され、前記下部スライド板の両側にはガイドレールが形成されている。前記上部スライド板のガイド溝と前記下部スライド板のガイドレールが係合し、外力の作用下で前記上部スライド板は前記下部スライド板に対して相対的にスライドする。一般的に前記スライドモジュールの上部スライド板と下部スライド板との間には弾性部材が設置されているため、前記上部スライド板を前記下部スライド板に対して相対的に所定距離をスライドさせると、前記上部スライド板は前記弾性部材の作用下で自動的にスライドする。
【０００３】
しかし、従来のスライドモジュールにおいて、プラスチックからなるガイドレールとガイド溝との接触は、面と面との接触であるので、上部スライド板と下部スライド板との間の摩擦力が大きく、前記上部スライド板と前記下部スライド板との相対的なスライドが順調でない。また、前記ガイドレールとガイド溝との間には、前記上部スライド板と前記下部スライド板とのスライドを保証するための一定の配置空間が存在するので、前記上部スライド板と前記下部スライド板との間に相対的な揺れが発生し易く、スライドモジュールの構造が不安定になる。
【発明の概要】
【発明が解決しようとする課題】
【０００４】
以上の問題点に鑑みて、本発明は、順調にスライドすることができ、且つ安定な構造を有するスライドモジュール及びこれを用いる携帯式電子装置を提供することを目的とする。
【課題を解決するための手段】
【０００５】
前記問題を解決するために、本発明に係るスライドモジュールは、ガイド溝が形成されている第一スライド板と、前記ガイド溝に係合されるガイドレールが形成されている第二スライド板と、前記ガイド溝と前記ガイドレールとの間に取り付けられ、且つ前記ガイド溝及び前記ガイドレールに相対して転がる複数のローラと、を備える。
【０００６】
また、本発明に係る携帯式電子装置は、第一ハウジング、第二ハウジング及びスライドモジュールを備えてなる。前記スライドモジュールは、ガイド溝が形成され且つ前記第一ハウジングに固定される第一スライド板と、前記ガイド溝に係合されるガイドレールが形成され且つ前記第二ハウジングに固定される第二スライド板と、前記ガイド溝と前記ガイドレールとの間に取り付けられ、且つ前記ガイド溝及び前記ガイドレールに相対して転がる複数のローラと、を備える。
【発明の効果】
【０００７】
本発明に係るスライドモジュールにおいて、前記ガイド溝と前記ガイドレールとの間に複数のローラが設置されているので、第一スライド板が第二スライド板に対して相対的にスライドする場合、前記複数のローラは、前記ガイド溝の内部壁及び前記ガイドレールに相対して転がって、前記第一スライド板と前記第二スライド板との相対的なスライドを実現する。本発明に係るスライドモジュールにおいて、従来のガイド溝とガイドレールとの間の滑り摩擦を抵抗力が小さい転がり摩擦に変換するため、前記第一スライド板と前記第二スライド板とのスライドが順調になる。
【０００８】
また、前記複数のローラが前記ガイドの内部壁及び前記ガイドレールに接触することによって、前記ガイド溝と前記ガイドレールとの間に揺れを発生する空間が存在しないので、スライドモジュールの構造が安定することになる。
【図面の簡単な説明】
【０００９】
【図１】本発明に係るスライドモジュールの分解図である。
【図２】本発明に係るスライドモジュールの他の視点からの分解図である。
【図３】本発明に係るスライドモジュールのガイド機構の斜視図である。
【図４】本発明に係るスライドモジュールの組立図である。
【図５】本発明に係るスライドモジュールを用いる携帯電子装置の分解図である。
【図６】本発明に係るスライドモジュールを用いる携帯電子装置の組立図である。
【発明を実施するための形態】
【００１０】
以下、図面に基づいて、本発明の実施形態に係るスライドモジュール及びこれを用いる携帯式電子装置に対して詳細に説明する。
【００１１】
図１及び図２に示したように、本発明のスライドモジュール１００は、第一スライド板１０、第二スライド板２０、２つのガイド機構３０及び弾性部材４０を備える。
【００１２】
前記第一スライド板１０は、板体部１２及び前記板体部１２の両側に形成されているガイド溝１４を備える。前記板体部１２の前記第二スライド板２０に対向する表面の反対面には、２つの第一固定ピン１２２が突設されている。前記第一スライド板１０は、前記２つの第一固定ピン１２２によって電子装置のハウジング（図５を参照）に固定される。前記板体部１２の前記第二スライド板２０に対向する表面には、ストッパーピン１２４及び第一接続ピン１２６が突設されている。前記ストッパーピン１２４は前記第二スライド板２０と係合され、前記第一接続ピン１２６は前記弾性部材４０の一端に接続される。前記２つのガイド溝１４は、前記板体部１２の両側をそれぞれに下方へ湾曲させた後、再び対向するように湾曲させて形成された「コ」状の構造である。
【００１３】
前記第二スライド板２０は、矩形板構造であり、その両側には２つのガイドレール２２が形成されている。前記第二スライド板２０には、その上下表面を貫通するストッパー孔２４が開設されている。前記ストッパー孔２４は、前記第二スライド板２０のスライド方向に沿って延伸され、略矩形孔構造である。前記ストッパー孔２４は、前記ストッパーピン１２４と係合して前記第二スライド板２０と前記第一スライド板１０との相対的なスライド行程を限定する。前記第二スライド板２０の前記第一スライド板１０に対向する表面には、第二接続ピン２６が突設されている。前記第二接続ピン２６は、前記弾性部材４０の他端に接続される。前記第二スライド板２０の前記第一スライド板１０に対向する表面の反対面には、４つの第二固定ピン２８が突設されている。前記第二スライド板２０は、前記４つの第二固定ピン２８によって電子装置の他のハウジング（図５を参照）に固定される。
【００１４】
図３に示したように、前記ガイド機構３０は、複数のローラ３４を保持する保持部材３２を備える。前記保持部材３２の構造は、前記ガイド溝１４の構造と類似する。前記保持部材３２の長さは、前記ガイド溝１４の長さより短い。前記保持部材３２は、薄板材を湾曲してから当接する２つの辺を溶接して形成される。前記保持部材３２は、２層構造を持ち、その断面は「凹」字状であり、２層頂壁３２２と、前記２層頂壁３２２に対向する２層底壁３２４と、前記２層頂壁３２２と前記２層底壁３２４とを連結する２層側壁３２６と、を備える。前記２層側壁３２６は、互いに平行する前記２層頂壁３２２及び前記２層底壁３２４に直交的に連接されて、前記第二スライド板２０のガイドレール２２と係合する保持溝３２８を形成する。前記２層頂壁３２２、前記２層底壁３２４及び前記２層側壁３２６には、前記複数のローラ３４を保持するための複数の取付け孔３２９が開設されている。前記ローラ３４は、前記２層頂壁３２２、前記２層底壁３２４及び前記２層側壁３２６の２層壁の間に保持され、且つ前記取付け孔３２９から部分的に露出され、前記取付け孔３２９内で回転することができる。
【００１５】
前記弾性部材４０は、金属ワイヤを曲げて形成された弧状弾性部材である。前記弾性部材４０は、それぞれ前記第一接続ピン１２６及び前記第二接続ピン２６に接続される２つの接続端４２を備える。
【００１６】
前記スライドモジュール１００を組立てる場合、先ず、前記ガイド機構３０を前記第一スライド板１０のガイド溝１４内に取付けて、前記ガイド機構３０のローラ３４を前記ガイド溝１４の内壁に接触させる。次に、前記第一スライド板１０と前記第二スライド板２０を組み立てる。具体的に、前記第二スライド板２０の２つのガイドレール２２を、それぞれ前記第一スライド板１０の２つのガイド溝１４に収容されている前記ガイド機構３０の２つの保持溝３２８に挿入して、前記ガイド機構３０のローラ３４が前記ガイドレール２２に接触する。前記第一スライド板１０のストッパーピン１２４は、前記第二スライド板２０のストッパー溝２４内に移動可能に収容される。
【００１７】
前記第一スライド板１０と前記第二スライド板２０とを組み立てる過程において、前記第一スライド板１０の第一接続ピン１２６を露出させた時、前記弾性部材４０の１つの接続端４２を前記第一接続ピン１２６に接続する。次に、前記第一スライド板１０をスライドして前記第二スライド板２０の第二接続ピン２６を露出させ、前記第二接続ピン２６に前記弾性部材４０の他の接続端を接続する。これによって、前記スライドモジュール１００の組立てを完成する。
【００１８】
図４に示したように、前記第一スライド板１０と前記第二スライド板２０とが閉じている場合、前記第一スライド板１０のストッパーピン１２４は、前記第二スライド板２０のストッパー溝２４の一端に当止されるので、前記弾性部材４０を弾性伸張状態に処し、それ以上伸張することができない。
【００１９】
図４に示したＡ方向に沿って前記第二スライド板２０をスライドさせれば、前記第二接続ピン２６に接続された前記弾性部材４０の接続端４２は前記第二スライド板２０に連動されて移動する。この時、前記第二スライド板２０は、所定位置まで前記弾性部材４０の弾性力を克服しながらスライドする。前記第二スライド板２０は、前記所定位置を越えれば、弾性部材４０の駆動力によって、前記第一スライド板１０のストッパーピン１２４が前記第二スライド板２０のストッパー溝２４の他端に達する時まで自動的に前記第一スライド板１０に対して相対的にスライドする。即ち、前記第一スライド板１０と前記第二スライド板２０とは相対的に開けた状態になる。
【００２０】
前記第二スライド板２０を前記第一スライド板１０に対して相対的にスライドさせる過程において、前記ガイド溝１４内に設置されているガイド機構３０のローラ３４が前記ガイド溝１４の内側壁及び前記ガイドレール２２に対して相対的に転がるので、従来のガイド溝とガイドレールとの間の滑り摩擦を抵抗力が小さい転がり摩擦に変換して、前記第一スライド板１０と前記第二スライド板２０とのスライドが順調になる。
【００２１】
図５及び図６に示したように、スライドモジュール１００を携帯電話のような携帯式電子装置２００に用いる。
【００２２】
前記携帯式電子装置２００は、第一ハウジング２１０及び第二ハウジング２２０を備える。
【００２３】
前記第一ハウジング２１０には、表示部２１２及び押しボタン部２１４が設置されている。前記第一ハウジング２１０の両側には、前記第一スライド板１０の第一固定ピン１２２と係合する第一固定孔２１６が設置されている。前記第一固定ピン１２２と前記第一固定孔２１６とが係合して、前記第一スライド板１０を前記第一ハウジング２１０に固定する。
【００２４】
前記第二ハウジング２２０には、前記押しボタン部２１４を収容する収容部２２２が形成されている。前記第二ハウジング２２０の両端には、前記第二スライド板２０の第二固定ピン２８と係合する第二固定孔２２４が設置されている。前記第二固定ピン２８と前記第二固定孔２２４とが係合して、前記第二スライド板２０を前記第二ハウジング２２０に固定する。
【００２５】
前記携帯式電子装置２００を開ける場合、外力で前記第一ハウジング２１０を前記第二ハウジング２２０に相対して所定距離まで推進すると、前記弾性部材４０には駆動力が蓄積される。前記第一ハウジング２１０が所定位置まで推進された後、前記外力を除去すれば、前記第一ハウジング２１０は前記弾性部材４０の駆動力によって前方へ自動的にスライドして、前記携帯式電子装置２００は開けた状態になる。前記携帯式電子装置２００を閉じる場合も同理であるから、詳しい叙述を省略する。
【００２６】
上述したように、本発明に係るスライドモジュール１００において、前記ガイド溝１４と前記ガイドレール２２との間にガイド機構３０を設置し、前記ガイド機構３０には複数のローラ３４が設置されているので、前記第一スライド板１０が前記第二スライド板２０に対して相対的にスライドする場合、前記複数のローラ３４は、前記ガイド溝１４の内部壁及び前記ガイドレール２２に相対して転がって、前記第一スライド板１０と前記第二スライド板２０との相対的なスライドを実現する。本発明に係るスライドモジュール１００において、従来のガイド溝とガイドレールとの間の滑り摩擦を抵抗力が小さい転がり摩擦に変換するため、前記第一スライド板１０と前記第二スライド板２０とのスライドが順調になる。
【００２７】
また、前記複数のローラ３４が前記ガイド溝１４の内部壁及び前記ガイドレール２２に接触するため、前記ガイド溝１４と前記ガイドレール２２との間に空間が存在しないので、スライドモジュール１００の構造が安定になる。
【００２８】
前記ローラ３４は、ボールによって代替することもできる。
【００２９】
前記保持部材３２を省略して、前記複数のローラ３４を前記ガイド溝１４内又は前記ガイドレール２２に設置することができる。前記スライドモジュール１００を組立てると、前記複数のローラ３４は前記ガイド溝１４と前記ガイドレール２２との間に保持されるため、前記ガイド溝１４と前記ガイドレール２２とが相対的にスライドすることができる。
【００３０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３１】
１００    スライドモジュール
１０      第一スライド板
１２      板体
１２２    第一固定ピン
１２４    ストッパーピン
１２６    第一接続ピン
１４      ガイド溝
２０      第二スライド板
２２      ガイドレール
２４      ストッパー溝
２６      第二接続ピン
２８      第二固定ピン
３０      ガイド機構
３２      保持部材
３２２    ２層頂壁
３２４    ２層底壁
３２６    ２層側壁
３２８    保持溝
３２９    取付け孔
３４      ローラ
４０      弾性部材
４２      接続端
２００    携帯電子装置
２１０    第一ハウジング
２１２    表示部
２１４    押しボタン部
２１６    第一固定孔
２２０    第二ハウジング
２２２    収容部
２２４    第二固定孔
【図１】
2010093791.tif 000003
【図２】
2010093791.tif 000004
【図３】
2010093791.tif 000005
【図４】
2010093791.tif 000006
【図５】
2010093791.tif 000007
【図６】
2010093791.tif 000008